(57)【特許請求の範囲】
【請求項１】
火災感知器の火災信号を受信すると、他設備へ連動信号及び／又は移報信号を出力する火災受信機を備えた火災報知設備と、前記連動信号及び／又は前記移報信号を受信し、非常時の動作をする前記他設備と、を有する消防設備において、
前記火災受信機は、非火災時に押下する非火災スイッチを備え、
該非火災スイッチが押下されると、前記火災受信機は連動信号及び／又は前記移報信号を遮断した後、前記火災感知器及び前記火災受信機を復旧する復旧信号を出力すると共に、前記他設備へ復帰信号及び／又は他設備復旧信号を出力し、
前記他設備は、前記復帰信号及び／又は前記他設備復旧信号を受信すると、当該他設備を復帰及び／又は復旧すると共に、復旧した後、前記火災受信機に復帰完了信号及び／又は他設備復旧完了信号を出力し、
前記火災受信機は、前記復帰完了信号及び／又は前記他設備復旧完了信号を受信すると、連動信号及び／又は前記移報信号の遮断を解除することを特徴とする消防設備。
【発明の詳細な説明】
【技術分野】
【０００１】
本発明は、非常放送設備や防排煙設備と連動する火災報知設備、及び火災報知設備と非常放送設備や防排煙設備等からなる消防設備に関するものである。
【背景技術】
【０００２】
火災報知設備は、火災感知器と、火災感知器と接続される火災受信機と、を有する。火災が発生すると、火災感知器が火災受信機に火災信号を出力する。火災受信機は火災信号を受信すると、火災を報知するために自身が鳴動し、地区音響も鳴動させ、火災の状態を保持する。
【０００３】
防災センター等に配置される防災センター要員は、火災受信機が火災を報知すると、火災を感知した区域を確認しに行き、非火災であった場合には、火災報知設備を復旧する作業を行う。一般的に、火災報知設備の復旧は、火災受信機に設けられる復旧スイッチを操作して行う。（特許文献１参照）。
【先行技術文献】
【特許文献】
【０００４】
【特許文献１】特開平５−２７４５６４号公報
【発明の概要】
【発明が解決しようとする課題】
【０００５】
しかしながら、火災報知設備の復旧は、火災受信機の復旧スイッチを押下する前に、操作しなければならない作業が多くある。
例えば、地区音響は、地区音響停止／解除スイッチを押して地区音響を停止した後、復旧スイッチを操作し、さらに地区音響停止／解除スイッチを押して、地区音響の停止状態を解除する必要がある。
【０００６】
また、火災受信機は、火災であると判断すると、消防設備の一つである防排煙設備に連動信号を出力し、非常放送設備やエレベーター設備等の他設備に移報信号を出力する。火災報知設備を復旧するには、連動遮断スイッチや移報遮断スイッチ、又はそれら両方を遮断する一括遮断スイッチを押下し、連動信号や移報信号を遮断した後、防排煙設備の復帰操作や非常放送設備等の他設備の復旧操作を行う。そして、火災受信機で復旧スイッチを押し、火災報知設備を復旧した後に、連動遮断スイッチや移報遮断スイッチを再度押し、連動信号や移報信号の遮断を解除する必要がある。
このように、火災報知設備の復旧は、多くの作業が伴う。
【０００７】
本発明はかかる課題を解決するためになされたものであり、復旧、復帰の操作の手間を低減させる火災報知設備及び消防設備を提供することを目的とする。
【課題を解決するための手段】
【０００８】
本発明は、火災感知器の火災信号を受信すると、他設備へ連動信号及び／又は移報信号を出力する火災受信機を備えた火災報知設備において、火災受信機は、非火災時に押下する非火災スイッチを備え、該非火災スイッチが押下されると、連動信号及び／又は移報信号を遮断した後、火災感知器及び火災受信機を復旧する復旧信号を出力することを特徴とするものである。
【０００９】
また、本発明は、火災感知器の火災信号を受信すると、他設備へ連動信号及び／又は移報信号を出力する火災受信機を備えた火災報知設備と、連動信号及び／又は移報信号を受信し、非常時の動作をする他設備と、を有する消防設備において、火災受信機は、非火災時に押下する非火災スイッチを備え、該非火災スイッチが押下されると、火災受信機は連動信号及び／又は移報信号を遮断した後、火災感知器及び火災受信機を復旧する復旧信号を出力すると共に、他設備へ復帰信号及び／又は他設備復旧信号を出力し、他設備は、復帰信号及び／又は他設備復旧信号を受信すると、当該他設備を復帰及び／又は復旧することを特徴とするものである。
【発明の効果】
【００１０】
本発明は、押下すると、火災受信機が連動信号及び／又は移報信号を遮断した後、火災感知器及び火災受信機を復旧する復旧信号を出力する非火災スイッチを設けたので、火災報知設備の復旧の操作が容易になる。
【００１１】
また、本発明は、押下すると、火災受信機が連動信号及び／又は移報信号を遮断した後、火災感知器及び火災受信機を復旧する復旧信号を出力すると共に、他設備へ復帰信号及び／又は他設備復旧信号を出力する非火災スイッチを設けたので、消防設備の復旧、復帰が容易となる。
【図面の簡単な説明】
【００１２】
【図１】本発明に係る実施の形態１乃至３に係る消防設備の概要を示す全体図である。
【図２】本発明に係る実施の形態１の火災受信機の要部を示すブロック図である。
【図３】本発明に係る実施の形態１の連動制御装置の要部を示すブロック図である。
【図４】本発明に係る実施の形態１の非常放送制御装置の要部を示すブロック図である。
【図５】本発明に係る実施の形態２の火災受信機の要部を示すブロック図である。
【図６】本発明に係る実施の形態２の連動制御装置の要部を示すブロック図である。
【図７】本発明に係る実施の形態２の非常放送制御装置の要部を示すブロック図である。
【発明を実施するための形態】
【００１３】
図１を参照して、火災報知設備１００、消防設備５００の基本的な構成について説明した後、図２乃至図４を参照して、本発明に係る火災報知設備１００及び消防設備５００の構成及び動作について説明する。
なお、本発明に係る消防設備５００は、ここでは、火災報知設備１００に防排煙設備２００及び非常放送設備３００を加えたものとして説明するが、それだけに限らず、火災報知設備１００に、火災報知設備１００からの連動信号、移報信号により動作する他設備、例えば、エレベーター設備や避難誘導設備、空調設備等を加えたものであれば、何でも消防設備５００に該当する。
【００１４】
・実施の形態１
＜消防設備５００の構成＞
図１を参照して、消防設備５００の構成について説明する。
消防設備５００は、火災報知設備１００と、防排煙設備２００と、非常放送設備３００とからなる（防排煙設備２００と非常放送設備３００は他設備に相当）。火災報知設備１００が火災と判断したときに、火災報知設備１００と連動して防排煙設備２００及び非常放送設備３００が動作する。
【００１５】
火災報知設備１００は、火災を検出すると火災信号を出力する火災感知器４０と、火災感知器４０と有線又は無線で接続され、火災感知器４０が出力する火災信号を受信し、火災の判断を行う火災受信機１と、を有する。
【００１６】
火災受信機１は、後述する連動制御装置２０、非常放送制御装置３０と有線又は無線で接続され、火災と判断したときに、連動制御装置２０に連動信号を出力し、非常放送制御装置３０に移報信号を出力する。
なお、火災受信機１から出力される信号は、火災報知設備１００と共に設けられる他設備の種類によって異なり、連動信号だけ出力する場合もあれば、移報信号だけ出力する場合もあり得る。
【００１７】
防排煙設備２００は、火災報知設備１００から連動信号を受信すると起動するもので、排煙口を開口し、火災による煙を外部に放出したり、防火戸２１を閉鎖したりする設備である。防排煙設備２００は、火災受信機１から出力される連動信号を受信し、起動信号を出力する連動制御装置２０と、連動制御装置２０からの起動信号で起動する防火戸２１と、を有する。
なお、ここでは、連動制御装置２０から出力される起動信号により防火戸２１が動作するものとして説明するが、防火戸２１だけに限らず、排煙口の開口、シャッターの降下等の動作も行われる。
【００１８】
非常放送設備３００は、火災報知設備１００から移報信号を出力すると起動するもので、館内へ非常放送を行う設備である。非常放送設備３００は、火災受信機１から出力される移報信号を受信し、放送信号を出力する非常放送制御装置３０と、非常放送制御装置３０から出力される放送信号を受信して館内放送を行うスピーカー３１と、を有する。
【００１９】
＜火災受信機１の構成＞
図２を参照して、火災受信機１の構成について説明する。
２は火災受信機１の制御部で、各種信号を送受信し、火災受信機１の動作を制御している。
【００２０】
３は火災信号受信部で、火災感知器４０からの出力される火災信号を受信し、火災信号を受信したことを示す信号を制御部２に出力するものである。
【００２１】
４は鳴動部で、制御部２が火災であると判断したときに主音響であるスピーカー５を鳴動させるものである。また、制御部２は、図示しない地区音響を鳴動させる。
【００２２】
６は主音響停止部で、主音響停止スイッチＳＷ１を押下することで動作し、スピーカー５の鳴動を停止させるものである。
【００２３】
７は地区音響停止／解除部で、地区音響停止／解除スイッチＳＷ２を押下することで動作し、地区音響の鳴動を停止させるものである。また、地区音響の鳴動を再開したいときには、再度、地区音響停止／解除スイッチＳＷ２を押下することで、地区音響停止／解除部７が地区音響の鳴動停止状態を解除し、地区音響が再鳴動する。
【００２４】
８は連動部で、制御部２が火災と判断したときに、連動信号を防排煙設備２００に出力するものである。
【００２５】
９は連動遮断部で、連動遮断スイッチＳＷ３を押下することで動作し、防排煙設備２００への連動信号の出力を遮断するものである。
【００２６】
１０は復帰信号出力部で、火災報知設備１００の復旧時に、防排煙設備２００の防火戸２１等を復帰させる復帰信号を出力するものである。
【００２７】
１１は移報部で、制御部２が火災と判断したときに、非常放送設備３００等の他設備に移報信号を出力するものである。
【００２８】
１２は移報遮断部で、移報遮断スイッチＳＷ４を押下することで動作し、非常放送設備３００への移報信号の出力を遮断するものである。
【００２９】
１３は復旧部で、復旧スイッチＳＷ５を押下することで制御部２に復旧信号を出力するものである。それにより、制御部２が火災感知器４０と火災受信機１を火災監視時の状態に戻す。
【００３０】
１４は非火災断定部で、非火災スイッチＳＷ６を押下することで制御部２に非火災断定信号を出力し、それにより制御部２が火災報知設備１００を火災監視状態に戻すものである。
【００３１】
１５は他設備復旧信号出力部で、他設備（ここでは防排煙設備２００及び非常放送設備３００）に他設備復旧信号、復帰信号を出力するものである。
【００３２】
＜非火災スイッチＳＷ６について＞
非火災スイッチＳＷ６は火災受信機１の盤面上に設けられ、火災報知設備１が動作して、防災センター要員が現場を確認し、非火災であることを確認したときに押下するスイッチである。
【００３３】
非火災スイッチＳＷ６が操作されると、火災報知設備１００が火災監視状態に戻るが、復旧スイッチＳＷ５を操作したときの復旧動作との違いを説明する。
【００３４】
非火災スイッチＳＷ６を押下しても、復旧スイッチＳＷ５を押下しても、火災感知器４０から出力される火災信号はクリアされ、また、火災受信機１が防排煙設備２００に出力している連動信号もクリアされる点では同じである。しかし、非火災スイッチＳＷ６を押下した場合、防排煙装置２００を復帰させる復帰信号も併せて出力するので、復旧スイッチＳＷ５を押下したときのように、別途、防排煙設備２００の復帰信号を出力する操作をしなくて良い。
【００３５】
また、他設備へ移報される移報信号は、復旧スイッチＳＷ５ではクリアされないので、事前に移報遮断ＳＷ４を操作する必要がある。一方、非火災スイッチＳＷ６は、操作すると移報を遮断すると共に、他設備復旧信号出力部１５から他設備復旧信号が出力され、その後、移報信号をクリアされ、移報遮断が解除される。即ち、非火災スイッチＳＷ６を押下するだけで、移報信号がクリアされる。
【００３６】
また、地区音響は、復旧スイッチＳＷ５又は、非火災スイッチＳＷ６を押下されるとクリアになる。復旧スイッチＳＷ５を押下する前に、地区音響停止／解除スイッチＳＷ２を押下した場合、復旧スイッチＳＷ５の操作後、地区音響の停止状態を解除するために、再度、地区音響停止／解除スイッチＳＷ２を押下する必要がある。一方、非火災スイッチＳＷ６では、事前に地区音響停止／解除スイッチＳＷ２を押下した場合であっても、非火災スイッチＳＷ６が押下されれば、地区音響の停止状態も解除される。
【００３７】
＜連動制御装置２０の構成＞
図３に基づいて、連動制御装置２０の構成について説明する。
２２は連動制御装置２０の制御部で、各種信号を送受信し、連動制御装置２０の動作を制御している。
【００３８】
２４は連動信号受信部で、火災受信機１から出力された連動信号を受信し、連動信号を受信したことを示す信号を制御部２２に出力するものである。
【００３９】
２６は起動部で、連動制御装置２０に接続される防火戸２１や図示しない排煙口、シャッター等に接続されている。連動信号受信部２４が連動信号を受信すると制御部２２から起動部２６に信号が出力され、その後、起動部２６は防火戸２１等に起動信号を出力し、防火戸２１等を動作させる。
【００４０】
２８は復帰信号受信部で、火災受信機１から出力された復帰信号を受信し、復帰信号を受信したことを示す信号を制御部２２に出力する。なお、火災受信機１から出力される復帰信号は、非火災スイッチＳＷ６が操作されることで他設備復旧信号出力部１５から出力されるものである。
【００４１】
２９は復帰部で、連動制御装置２０に接続される防火戸２１や図示しない排煙口、シャッター等に接続されている。復帰信号受信部２８が復帰信号を受信すると制御部２２から復帰部２９に信号が出力され、その後、復帰部２９は防火戸２１等に復帰信号を出力し、防火戸２１等を復帰させる。また、復帰スイッチＳＷ７を押下することでも、復帰部２９から防火戸２１等に復帰信号を出力させることができる。
【００４２】
＜非常放送制御装置３０の構成＞
図４に基づいて、非常放送制御装置３０の構成について説明する。
３２は非常放送制御装置３０の制御部で、各種信号を送受信し、非常放送制御装置３０の動作を制御している。
【００４３】
３３は移報信号受信部で、火災受信機１から出力された移報信号を受信し、移報信号を受信したことを示す信号を制御部３２に出力するものである。
【００４４】
３４は非常放送部で、非常放送制御装置３０に接続されるスピーカー３１に接続されている。移報信号受信部３３が移報信号を受信すると制御部３２から非常放送部３４に信号が出力され、その後、非常放送部３４はスピーカー３１に非常放送信号を出力し、スピーカー３１から非常放送が流れる。
【００４５】
３７は復旧部で、復旧スイッチＳＷ８を押下することで復旧信号を制御部３２に出力するものである。復旧部３２が復旧信号を出力すると、制御部３２は非常放送制御装置３０を復旧させる。
【００４６】
３９は他設備復旧信号受信部で、火災受信機１から出力された他設備復旧信号を受信し、他設備復旧信号を受信したことを示す信号を制御部３２に出力する。なお、火災受信機１から出力される他設備復旧信号は、非火災スイッチＳＷ６が操作されることで他設備復旧信号出力部１５から出力されるものである。
【００４７】
＜動作説明＞
図１乃至４を参照して、火災報知設備１００及び消防設備５００の動作について説明する。
火災感知器４０が火災信号を出力し、火災受信機１の火災信号受信部３で火災信号を受信する。そして、制御部２で火災か非火災かを判断する。制御部２が火災と判断すると、スピーカー５から主音響を鳴動させると共に、図示しない地区音響を鳴動させ、火災を報知する。また、制御部２は、連動部８から他設備の一例である防排煙設備２００に連動信号を出力すると共に、移報部１１から他設備の一例である非常放送設備３００に移報信号を出力する。これにより、防排煙設備２００の防火戸２１等が非常時の動作をすると共に、非常放送設備３００のスピーカー３１から非常放送が流れる。
【００４８】
上記のように、火災報知設備１００が火災を報知し、また消防設備５００が非常時の動作をしたときに、防災センター要員は火災の確認をしに現場へ向かう。防災センター要員が、火災が発生していないことを確認した場合、即ち、火災報知設備１００の誤報だった場合の火災報知設備１００及び消防設備５００の復旧操作、並びに火災報知設備１００及び消防設備５００の動作について、以下に説明する。
【００４９】
まず、防災センター要員は、火災受信機１の非火災スイッチＳＷ６を押す。
すると、火災受信機１の制御部２は、連動遮断部９及び移報遮断部１２を動作させ、連動遮断及び移報遮断を行う（連動遮断スイッチＳＷ３及び移報遮断スイッチＳＷ４を押した状態と同じ）。そして、他設備復旧信号出力部１５から、非常放送設備３００に対して他設備復旧信号を出力し、防排煙設備２００に対して復帰信号を出力する。防排煙設備２００は、復帰信号受信部２８で復帰信号を受信し、防火戸２１等を復帰させる。一方、非常放送設備３００は、他設備復旧信号受信部３９で他設備復旧信号を受信し、非常放送設備３００を復旧させる。
【００５０】
また、火災受信機１の制御部２は、火災感知器４０を復旧させて火災信号の出力をクリアにすると共に、主音響停止部６を動作させて主音響を停止し（主音響停止スイッチＳＷ１を押した状態と同じ）、地区音響停止／解除部７を動作させて地区音響を停止させる。このとき、地区音響停止／解除部７は、地区音響停止／解除スイッチＳＷ２が２回押された状態と同じになり、地区音響は火災があれば鳴動する設定の状態になる。
【００５１】
次に、防災センター要員は、他設備である防排煙設備２００及び非常放送設備３００が復帰、復旧しているかを確認しに行く。
【００５２】
最後に、防排煙設備２００及び非常放送設備３００の復帰、復旧を確認したら、火災受信機１の連動遮断及び移報遮断を解除するために、連動遮断スイッチＳＷ３及び移報遮断スイッチＳＷ４（又は両方を一括で遮断、解除する一括遮断スイッチ）を押す。これにより、連動遮断、移報遮断状態が解除される。以上により、消防設備５００の復旧が完了となる。
【００５３】
・実施の形態２
図５乃至７を参照して、実施の形態２の消防設備５００ａについて説明する。なお、実施の形態２では、上述の実施の形態１の消防設備５００との相違点について主に説明するものとし、実施の形態１に対応している構成については同じ符号をつけて説明を省略する。
【００５４】
＜火災受信機１ａの構成＞
図５に基づいて、実施の形態２の火災受信機１ａの構成について説明する。
火災受信機１ａは、実施の形態１の火災受信機１の構成に加えて、他設備復旧完了信号受信部１７を有している。他設備復旧完了信号受信部１７は、防排煙設備２００ａや非常放送設備３００ａ等の他設備から出力される復帰完了信号、復旧完了信号を受信するものである。
【００５５】
＜連動制御装置２０ａの構成＞
図６に基づいて、実施の形態２の連動制御装置２０ａの構成について説明する。
連動制御装置２０ａは、実施の形態１の連動制御装置２０の構成に加えて、復帰完了信号出力部２７を有している。復帰完了信号出力部２７は、連動制御装置２０ａに接続される防火戸２１等の復帰が完了したときに、火災受信機１ａに復帰完了信号を出力するものである。
【００５６】
＜非常放送制御装置３０ａの構成＞
図７に基づいて、実施の形態２の非常放送制御装置３０ａの構成について説明する。
非常放送制御装置３０ａは、実施の形態１の非常放送制御装置３０の構成に加えて、他設備復旧完了信号出力部３８を有している。他設備復旧完了信号出力部３８は、非常放送制御装置３０ａの復旧が完了したときに、火災受信機１ａに他設備復旧完了信号を出力するものである。
【００５７】
＜動作説明＞
図１、図５乃至７を参照して、火災報知設備１００ａ及び消防設備５００ａの動作について説明する。なお、ここでは実施の形態１と同様に、防災センター要員が、火災が発生していないことを確認し、消防設備５００ａを復旧させる操作について説明する。
【００５８】
防災センター要員は、火災受信機１ａの非火災スイッチＳＷ６を押す。
すると、まず、火災受信機１ａの制御部２は、連動遮断部９及び移報遮断部１２を動作させ、連動遮断及び移報遮断を行う（連動遮断スイッチＳＷ３及び移報遮断スイッチＳＷ４を押した状態と同じ）。そして、他設備復旧信号出力部１５から、非常放送設備３００ａに対して他設備復旧信号を出力し、防排煙設備２００ａに対して復帰信号を出力する。防排煙設備２００ａは、復帰信号受信部２８で復帰信号を受信し、防火戸２１等を復帰させる。一方、非常放送設備３００ａは、他設備復旧信号受信部３９で他設備復旧信号を受信し、非常放送設備３００ａを復旧させる。
【００５９】
また、火災受信機１ａの制御部２は、火災感知器４０を復旧させて火災信号の出力をクリアにすると共に、主音響停止部６を動作させて主音響を停止し（主音響停止スイッチＳＷ１を押した状態と同じ）、地区音響停止／解除部７を動作させて地区音響を停止させる。このとき、地区音響停止／解除部７は、地区音響停止／解除スイッチＳＷ２が２回押された状態と同じになり、地区音響は火災があれば鳴動する設定の状態になる。
【００６０】
次に、復帰信号を受信して防排煙設備２００ａが復帰した連動制御装置２０ａは、復帰が完了したことを示す復帰完了信号を、復帰完了信号出力部２７から出力する。
また、他設備復旧信号を受信して非常放送設備３００ａが復旧した非常放送制御装置３０ａは、復旧が完了したことを示す他設備復旧完了信号を、他設備復旧完了信号出力部３８から出力する。
【００６１】
最後に、火災受信機１ａは、復帰完了信号、他設備復旧完了信号を他設備復旧完了信号受信部１７で受信すると、連動遮断部９と移報遮断部１２に信号を出力し、連動遮断及び移報遮断の状態を解除する。以上により、消防設備５００ａの復旧が完了となる。
【００６２】
即ち、防災センター要員は、非火災を確認後、非火災スイッチＳＷ６を１回押すだけで、消防設備５００ａを復旧させることができる。
【００６３】
以上、本発明の実施の形態１及び２によれば、本発明は、以下の構成を備えたものである。
（１）本発明は、火災感知器４０の火災信号を受信すると、他設備２００、２００ａ、３００、３００ａへ連動信号及び／又は移報信号を出力する火災受信機１、１ａを備えた火災報知設備１００、１００ａにおいて、火災受信機１、１ａは、非火災時に押下する非火災スイッチＳＷ６を備え、該非火災スイッチＳＷ６が押下されると、連動信号及び／又は移報信号を遮断した後、火災感知器４０及び火災受信機１、１ａを復旧する復旧信号を出力することを特徴とするものである。
（２）また、本発明は（１）において、火災受信機１、１ａは、非火災スイッチＳＷ６が押下され、連動信号及び／又は移報信号を遮断した後、他設備２００、２００ａ、３００、３００ａへ復帰信号及び／又は他設備復旧信号を出力することを特徴とするものである。
（３）本発明は、火災感知器４０の火災信号を受信すると、他設備２００、２００ａ、３００、３００ａへ連動信号及び／又は移報信号を出力する火災受信機１、１ａを備えた火災報知設備１００、１００ａと、連動信号及び／又は移報信号を受信し、非常時の動作をする他設備２００、２００ａ、３００、３００ａと、を有する消防設備５００、５００ａにおいて、火災受信機１、１ａは、非火災時に押下する非火災スイッチＳＷ６を備え、該非火災スイッチＳＷ６が押下されると、火災受信機１、１ａは連動信号及び／又は移報信号を遮断した後、火災感知器４０及び火災受信機１、１ａを復旧する復旧信号を出力すると共に、他設備２００、２００ａ、３００、３００ａへ復帰信号及び／又は他設備復旧信号を出力し、他設備２００、２００ａ、３００、３００ａは、復帰信号及び／又は他設備復旧信号を受信すると、当該他設備２００、２００ａ、３００、３００ａを復帰及び／又は復旧することを特徴とするものである。
（４）また、本発明は（３）において、他設備２００ａ、３００ａは、復帰信号及び／又は他設備復旧信号を受信して、復帰及び／又は復旧した後、火災受信機１ａに復帰完了信号及び／又は他設備復旧完了信号を出力することを特徴とするものである。
（５）また、本発明は（４）において、火災受信機１ａは、復帰完了信号及び／又は他設備復旧完了信号を受信すると、連動信号及び／又は移報信号の遮断を解除することを特徴とするものである。
【符号の説明】
【００６４】
１、１ａ  火災受信機、２  制御部、３  火災信号受信部、４  鳴動部、５  スピーカー、６  主音響停止部、７  地区音響停止／解除部、８  連動部、９  連動遮断部、１０  復帰信号出力部、１１  移報部、１２  移報遮断部、１３  復旧部、１４  非火災断定部、１５  他設備復旧信号出力部、１７  他設備復旧完了信号受信部、２０、２０ａ  連動制御装置、２１  防火戸、２２  制御部、２４  連動信号受信部、２６  起動部、２７  復帰完了信号出力部、２８  復帰信号受信部、２９  復帰部、３０、３０ａ  非常放送制御装置、３１  スピーカー、３２  制御部、３３  移報信号受信部、３４  非常放送部、３７  復旧部、３８  他設備復旧完了信号出力部、３９  他設備復旧信号受信部、４０  火災感知器、１００、１００ａ  火災報知設備、２００、２００ａ  防排煙設備、３００、３００ａ  非常放送設備、ＳＷ１  主音響停止スイッチ、ＳＷ２  地区音響停止／解除スイッチ、ＳＷ３  連動遮断スイッチ、ＳＷ４  移報遮断スイッチ、ＳＷ５  復旧スイッチ、ＳＷ６  非火災スイッチ、ＳＷ７  復帰スイッチ、ＳＷ８  復旧スイッチ。
【図１】
0006706907.tif 000002
【図２】
0006706907.tif 000003
【図３】
0006706907.tif 000004
【図４】
0006706907.tif 000005
【図５】
0006706907.tif 000006
【図６】
0006706907.tif 000007
【図７】
0006706907.tif 000008